(57)【要約】      （修正有）【課題】基板、直流電圧安定化回路、パッケージ装置、及び、放熱フィンを包む電圧安定を具えた燃料電池装置を提供することを課題とする。【解決手段】基板２１０は、プリント基板材質を基板材として用い、また、少なくとも1個以上の膜電極接合体２１１，２１２を設置する。直流電圧安定化回路２２０は、基板上に設置され、膜電極接合体で生じた入力電圧を受けることで安定した直流の出力電圧を生じる。パッケージ装置１４０が基板上に設置され、水気と酸性物質による腐食を防止するために直流電圧安定化回路を覆うことに用いる。同時に、該直流電圧安定化回路を基板上に設置することで組立コストを節減する。またパ、ッケージ装置と放熱フィン２４０の組合せを介することで、直流電圧安定化回路から生じる熱エネルギーを放出することを特徴とする。【選択図】図２
0003116822.tif 000002
【実用新案登録請求の範囲】
【請求項１】
プリント基板材質を用いた基板材で、また、少なくとも１個以上の膜電極接合体を設置した基板と、
該基板上に設置され、少なくとも１個以上の膜電極接合体で生じた入力電圧を受け、また、該直流電圧安定化回路を介することで出力電圧を生じる直流電圧安定化回路と、
該基板上に設置され、該電圧安定化回路を覆うパッケージ装置を含むことを特徴とする、電圧安定を具えた燃料電池装置。
【請求項２】
請求項１記載の燃料電池装置において、そのパッケージ装置内に注入して、該直流安定化回路を覆うシーリングを含むことを特徴とする、燃料電池装置。
【請求項３】
請求項２記載の燃料電池装置において、その良好な熱伝導性を具えた酸化アルミの混合シーリング材であることを特徴とする、燃料電池装置。
【請求項４】
請求項１記載の燃料電池装置において、そのパッケージ装置が金属材質であることを特徴とする、燃料電池装置。
【請求項５】
請求項４記載の燃料電池装置において、そのパッケージ装置上に設置された放熱フィンによって、該直流電圧安定化回路から生じた熱エネルギーを放出することを含むことを特徴とする、燃料電池装置。
【請求項６】
請求項４記載の燃料電池装置において、そのパッケージ装置上に設置されたファンによって、該直流電圧安定化回路から生じた熱エネルギーを放出することを含むことを特徴とする、燃料電池装置。
【請求項７】
請求項１記載の燃料電池装置において、その出力電圧が直流電圧であることを特徴とする、燃料電池装置。
【請求項８】
請求項７記載の燃料電池装置において、その出力電圧が＋３.３ボルトであることを特徴とする、燃料電池装置。
【請求項９】
請求項７記載の燃料電池装置において、その出力電圧が＋５ボルトであることを特徴とする、燃料電池装置。
【請求項１０】
請求項７記載の燃料電池装置において、その出力電圧が＋１２ボルトであることを特徴とする、燃料電池装置。
【請求項１１】
請求項７記載の燃料電池装置において、その出力電圧が＋１.8ボルトであることを特徴とする、燃料電池装置。
【考案の詳細な説明】
【技術分野】
【０００１】
本考案は燃料電池装置の技術分野に関り、特に、電圧安定を具えた燃料電池装置で、燃料電池装置に安定した直流電圧を十分出力させることができることに関するものである。
【背景技術】
【０００２】
従来の燃料電池は、メタノールなどの水素を含む燃料を利用し、酸化還元反応を経た後、電流ループを形成することで必要電源とされる。固定した出力電圧を提供するため、その電圧の電流に対する曲線は、負荷電流が増加した時において、その電圧が急激に下降する傾向を見せるため、１種の高性能な電圧安定化回路が必要とされる。
【０００３】
図１は、従来の直流電圧安定化モジュール１００の見取図であり、この中の、該直流電圧安定化モジュール１００には、回路ボード１１０を具え、また、少なくとも１個の直流電圧安定制御部品１２０、及び、数個の受動部品(１３０、１３１)を具え、入力電源が異なるボルト数の直流電源として変換させる。該直流電圧安定化モジュール１００に複数個のピン１５０を具えることで、安定化直流電源をその他の回路ボード(図に表示していない)に提供できる。
【０００４】
しかし、燃料電池は、その化学作用を受けた後で電気エネルギーを提供できること以外に、余分の水気及び少々の酸性物質も生じてしまう。もしも裸の状態にある電圧安定モジュール１００を燃料電池に合わせて使用した場合、水気によって回路短路という永久的な破壊の発生、或いは、酸性物質によって電子部品が腐食する恐れがある。故に、該直流電圧安定化モジュール１００は、パッケージ装置１４０を具えて該直流電圧安定制御部品１２０、及び、受動部品(１３０、１３１)を覆うことで該直流電圧安定制御部品１２０、及び、受動部品(１３０、１３１)を保護する。しかし、従来の電圧安定モジュール１００内において、該複数個のピン１５０は、やはり水気、或いは、酸性物質による腐食を受け易くなっている。つまり、従来の燃料電池の電圧安定化回路には色々と欠点があるため改善の必要があった。
【考案の開示】
【考案が解決しようとする課題】
【０００５】
本考案の主な目的は、電圧安定を具えた燃料電池装置を提供することで、燃料電池装置に安定した直流電圧を出力させることができることにある。
【考案の効果】
【０００６】
本考案の別の目的は、電圧安定を具えた燃料電池装置を提供し、また、燃料電池の基板上に設置した電圧安定化回路を介することで組立コストを節減することにある。
【０００７】
本考案の更なる目的は、電圧安定を具えた燃料電池装置を提供し、また、電圧安定化回路とパッケージ装置の組合せを介することで水気と酸性物質による腐食を防止することにある。
【０００８】
本考案の更なる目的は、電圧安定を具えた燃料電池装置を提供し、また、パッケージ装置と放熱フィンの組合せを介することで、該電圧安定化回路から生じる熱エネルギーを放出することにある。
【課題を解決するための手段】
【０００９】
本考案の特徴は、基板、直流電圧安定化回路、及び、パッケージ装置を含んだ電圧安定を具えた燃料電池装置を提供することにある。該基板には、プリント基板材質を基板材として用い、また、少なくとも１個以上の膜電極接合体を設置している。該直流電圧安定化回路は、基板上に設置され、少なくとも1個以上の該膜電極接合体で生じた入力電圧を受け、また、該直流電圧安定化回路を介して出力電圧を生じる。該パッケージ装置は、基板上に設置され、水気と酸性物質による腐食を防止するために直流電圧安定化回路を覆うことに用いる。
【００１０】
本考案の設計が新規であるため、産業で利用することができ、且つ、確実に効果を高めることができるため、ここに実用新案権を申請する。
【考案を実施するための最良の形態】
【００１１】
図２は、本考案である電圧安定を具えた燃料電池装置２００の側面図であり、該燃料電池装置２００には、基板２１０、直流電圧安定化回路２２０、パッケージ装置２３０、シーリング２５０、及び、放熱フィン２４０を包含する。本考案である電圧安定を具えた燃料電池装置２００は、直流電圧安定化回路２２０を該基板２１０上に直接設置している。燃料電池装置２００で生じた低圧直流電気エネルギーを受け、また、安定した出力電圧を出力することで燃料電池装置２００に対して電圧安定を作用させる。
【００１２】
該基板２１０は、プリント基板材質を用いた基板材で、また、少なくとも１個以上の膜電極接合体(２１１、２１２)を設置する。膜電極接合体(２１１、２１２)が電気化学的反応を起すことで化学エネルギーを直接低圧の直流電気エネルギーに変換する。
【００１３】
直流電圧安定化回路２２０は、該基板上２１０に設置され、該少なくとも１個以上の該膜電極接合体(２１１、２１２)から生じた入力電圧を受け、また、該直流電圧安定化回路２２０を介することで出力電圧が生じる。直流電圧安定化回路２２０には、直流電圧安定化集積回路２２１及び受動部品(２２２、２２３)を含み、入力電源が異なるボルト数の直流電源に変換させる。該出力電圧を＋１.８ボルト、＋３.３ボルト、＋５ボルト、及び、＋１２ボルトに応用することができる。
【００１４】
パッケージ装置２３０を該基板２１０上に設置し、該パッケージ装置２３０は、該電圧安定化回路２２０を覆うことで膜電極接合体(２１１、２１２)が、電気化学的反応を起こした時に生じる水気と酸性物質による腐食を防止する。
【００１５】
放熱効果を強化するため、パッケージ装置２３０と電圧安定化回路２２０の間にシーリング２５０を注入し、該シーリング２５０は、良好な熱伝導性を具えた酸化アルミの混合シーリング材とする。これを該パッケージ装置２３０内に注入することで該直流電圧安定化回路２２０を覆う。パッケージ装置２３０と電圧安定化回路２２０の間に良好な熱伝導性のシーリング２５０を注入することで、電圧安定化回路２２０で生じた熱エネルギーを有効的に該パッケージ装置２３０に伝導させることができる。
【００１６】
本実施例において、該パッケージ装置２３０は金属材質のアルミ合金である。その他の実施例として、該パッケージ装置２３０の材質を銀、銅、或いは、鋼などの金属、或いは、合金とすることができる。
【００１７】
放熱フィン２４０を該パッケージ装置２３０上に設置されることで、該直流電圧安定化回路２２０で生じた熱エネルギーを放出する。放熱フィン２４０を該パッケージ装置２３０上に装着することができ、また、良好な熱伝導性を具えた接着剤で該パッケージ装置２３０上に接着することもできる。
【００１８】
図３は、本考案である電圧安定を具えた燃料電池装置２００の別の実施例の側面図である。図２と異なるところは、使用するファン２６０を放熱フィン２４０に代替することで最良の放熱能力を提供することになる。
【００１９】
上記の説明により、メタノール燃料電池は、その化学作用を受けた後で電気エネルギーを提供できること以外に、余分の水気及び少々の酸性物質も生じてしまう。もしも裸の状態にある電圧安定回路にメタノール燃料電池を合わせて使用した場合、水気によって回路短路という永久的な破壊の発生、或いは、酸性物質によって電子部品が腐食する恐れがある。本考案は以上のメタノール燃料電池の特性に対して、電圧安定化回路の全ての部品にシーリング材を用いてパッケージすることによって、水気と酸性物質による腐食を防止する。同時に、燃料電池装置に安定した直流電圧を出力させる。また、該直流電圧安定化回路２２０と燃料電池装置２００の基板２１０を組み合わせることで組立コストを節減する。また、パッケージ装置２３０と放熱フィン２４０の組合せを介することで、直流電圧安定化回路２で生じた熱エネルギーを放出する。
【００２０】
上記の最良の具体的な実施例は、説明の利便性として例を挙げたのみであって、本考案で主張する権利範囲は、実用新案権登録請求の範囲に記載するものを基準とし、上記の実施例に限定されることがないものとする。
【図面の簡単な説明】
【００２１】
【図１】（ａ）は、従来の直流電圧安定化モジュールの平面図であり、（ｂ）は従来の直流電圧安定化モジュールの側面図である。
【図２】本考案である電圧安定を具えた燃料電池装置の側面図である。
【図３】本考案である電圧安定を具えた燃料電池装置の別の実施例の側面図である。
【符号の説明】
【００２２】
１００  直流電圧安定化モジュール
１１０  回路ボード
１２０  直流電圧安定制御部品
１３０、１３１  受動部品
１５０  ピン
１４０  パッケージ装置
２００  電圧安定を具えた燃料電池装置
２１０  基板
２２０  直流電圧安定化回路
２３０  パッケージ装置
２５０  シーリング
２４０  放熱フィン
２１１、２１２  膜電極接合体
２６０  ファン
２２２、２２３  受動部品
【図１】
0003116822.tif 000003
【図２】
0003116822.tif 000004
【図３】
0003116822.tif 000005